(57)【要約】      （修正有）【課題】基板に取り付けられて用いられるコネクタ装置であって、基板上における絶縁ハウジングの板状部材差込み部側とは反対側の周囲にアクチュエータの回動操作のための操作スペースが必要とされないものを提供する。【解決手段】絶縁ハウジング１２内に配列配置された複数のコンタクト１４を絶縁ハウジング内に差し込まれたフレキシブル印刷配線基板の接続端子部に対する押圧接触状態から解放する第１の位置とコンタクトに接続端子部に対する押圧接触状態をとらせる第２の位置とをとるアクチュエータ２０が、操作部２１を有しており、アクチュエータが第２の位置をとるとき絶縁ハウジングの側端部１５，１６からその外方に露出する操作部の側端部分に、アクチュエータを第２の位置から第１の位置に移行させるための外力を受け止める傾斜面部４６，４７が形成される。【選択図】図１
2010021084.tif 000002
【特許請求の範囲】
【請求項１】
板状部材差込み部が設けられた絶縁ハウジングと、
該絶縁ハウジング内に配列配置され、上記板状部材差込み部を通じて上記絶縁ハウジング内に差し込まれた配線板状部材における複数の接続端子部に夫々対応する位置をとるものとされる複数のコンタクトと、
上記絶縁ハウジングに対して回動可能に設けられて第１の静止位置と第２の静止位置とを選択的にとり、上記複数のコンタクトに係合して、上記配線板状部材が上記板状部材差込み部を通じて上記絶縁ハウジング内に差し込まれたもとで、上記第１の静止位置から上記第２の静止位置に移行せしめられるとき、上記複数のコンタクトの夫々に上記複数の接続端子部のうちの対応するものに対する押圧接触状態をとらせ、上記第２の静止位置から上記第１の静止位置に移行せしめられるとき、上記複数のコンタクトの夫々を上記複数の接続端子部のうちの対応するものに対する押圧接触状態から解放するアクチュエータと、
を備えて成り、
上記アクチュエータが、回動操作のための操作部を有しており、上記第２の静止位置をとるとき上記絶縁ハウジングにおける上記複数のコンタクトの配列方向の側端部からその外方に露出することになる上記操作部の側端部分に、該アクチュエータを上記第２の静止位置から上記第１の静止位置に移行させるための外力を受け止める受力作用部が設けられたことを特徴とするコネクタ装置。
【請求項２】
上記絶縁ハウジングが基板に配されるものとされ、上記受力作用部が、上記アクチュエータの操作部の側端部分に形成された、上記絶縁ハウジングが上記基板に配されたもとで上記アクチュエータが上記第２の静止位置をとるとき上記基板に向かって上記絶縁ハウジングの内側へと傾斜する傾斜面部とされることを特徴とする請求項１記載のコネクタ装置。
【請求項３】
上記絶縁ハウジングが基板に配されるものとされ、上記受力作用部が、上記アクチュエータの操作部の側端部分に形成された、上記絶縁ハウジングが上記基板に配されたもとで上記アクチュエータが上記第２の静止位置をとるとき上記基板に対向する切欠き溝部とされることを特徴とする請求項１記載のコネクタ装置。
【請求項４】
上記絶縁ハウジングが基板に配されるものとされ、上記受力作用部が、上記アクチュエータの操作部の側端部分に形成された、上記絶縁ハウジングが上記基板に配されたもとで上記アクチュエータが上記第２の静止位置をとるとき上記基板に対向する切欠き段部とされることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接続端子部を、他の配線基板等とされる他の電気部品に電気的に接続された状態とするため、接続端子部に押圧接触するコンタクトを備えたコネクタ装置に関する。
【背景技術】
【０００２】
各種の電子機器に実装される比較的小型なフレキシブル印刷配線基板や平板状ケーブル等の配線板状部材は、各種の電気部品が取り付けられる主印刷配線基板への取付けが、当該主印刷配線基板に電気的接続がなされて固定されたコネクタ装置が用いられて行われることが多いものとされる。このような配線板状部材の主印刷配線基板への取付けにあたって用いられるコネクタ装置は、配線板状部材に設けられた接続端子部に接触する導電性のコンタクトを有していて、そのコンタクトを介して、配線板状部材に設けられた接続端子部を主印刷配線基板に設けられた印刷配線部に電気的に接続する。
【０００３】
従来提案されている、例えば、平板状ケーブルとされる配線板状部材の主印刷配線基板への取付けに用いられるコネクタ装置は、配線板状部材が差し込まれる差込み部が設けられたものとされて、主印刷配線基板に配される絶縁ハウジングを有したものとされる。そして、その絶縁ハウジング内に配列配置されて設けられ、配線板状部材が差込み部を通じて絶縁ハウジングに差し込まれるとき、その配線板状部材に設けられた複数の接続端子部に夫々対応するものとなる複数のコンタクトと、絶縁ハウジングに対して回動可能に設けられ、複数のコンタクトの夫々に係合して、回動せしめられるとき複数のコンタクトの夫々における作動部を変位させ、それにより複数のコンタクトを複数の接続端子部に夫々押圧接触させるアクチュエータとが備えられる。
【０００４】
アクチュエータは、全体が複数のコンタクトの配列方向に沿って伸びる細長形状をとり、カム部と操作部とが設けられていて、カム部において複数のコンタクトの夫々と係合し、操作部が操作されることにより、絶縁ハウジングに対して回動せしめられる。
【０００５】
複数のコンタクトの各々は、導電性の弾性材料で形成され、絶縁ハウジングに固定される部分である固定部と連結部により固定部に連結されて変位可能とされた部分である可動部とを有するものされる。そして、固定部は、絶縁ハウジングが配された主印刷配線基板における印刷配線部等の配線部に電気的に接続され、また、可動部は、配線板状部材に設けられた接続端子部に押圧接触する接触部が設けられたもとで、アクチュエータのカム部によって変位せしめられる。
【０００６】
このようなコネクタ装置にあっては、主印刷配線基板に配された絶縁ハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接続端子部のうちの対応するものに対する押圧接触状態をとらせる。また、複数のコンタクトの各々における可動部の接触部が配線板状部材に設けられた複数の接続端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接続端子部のうちの対応するものに対する押圧接触状態から解放する（例えば、特許文献１参照。）。
【０００７】
特許文献１に示されるようなコネクタ装置においては、アクチュエータは、絶縁ハウジングにおける、配線板状部材の差込みがなされる差込み部が設けられた端縁部（説明の便宜上、正面側端縁部という。）に対向する反対側の端縁部（説明の便宜上、背面側端縁部という。）側に配されて、複数のコンタクトの配列方向に沿う方向に伸びる仮想回転軸線をもって回動可能なものとされる。
【０００８】
そして、アクチュエータが、複数のコンタクトの夫々における可動部の接触部に配線板状部材に設けられた複数の接続端子部のうちの対応するものに対する押圧接触状態をとらせるべく回動せしめられる際には、その操作部が絶縁ハウジングが配された主印刷配線基板に対して立ち上がった状態をとる位置から、当該操作部が絶縁ハウジングが配された主印刷配線基板に対して絶縁ハウジングの背面側端縁部の背後側に伏した状態をとる位置へと変位される。また、アクチュエータが、複数のコンタクトの夫々における可動部の接触部を配線板状部材に設けられた複数の接続端子部のうちの対応するものに対する押圧接触状態から解放すべく回動せしめられる際には、その操作部が絶縁ハウジングが配された主印刷配線基板に対して絶縁ハウジングの背面側端縁部の背後側に伏した状態をとる位置から、当該操作部が絶縁ハウジングが配された主印刷配線基板に対して立ち上がった状態をとる位置へと変位される。
【０００９】
【特許文献１】特開２００７−２６５８５１号公報（段落００２０〜００３９、段落００５８〜００６８、図１〜７、図１０〜１３）
【発明の開示】
【発明が解決しようとする課題】
【００１０】
上述のような平板状ケーブル等の配線板状部材の主印刷配線基板への取付けに用いられる従来のコネクタ装置にあっては、主印刷配線基板に配された絶縁ハウジングに差込み部を通じて配線板状部材が差し込まれたもとで、アクチュエータが、複数のコンタクトの夫々における可動部の接触部に、配線板状部材に設けられた複数の接続端子部のうちの対応するものに対する押圧接触状態をとらせる位置におかれるときには、当該アクチュエータの操作部は、絶縁ハウジングが配された主印刷配線基板に対して絶縁ハウジングの背面側端縁部の背後側に伏した状態をとるものとされる。そして、その後、当該アクチュエータを、複数のコンタクトの夫々における可動部の接触部を配線板状部材に設けられた複数の接続端子部のうちの対応するものに対する押圧接触状態から解放すべく回動させるにあたっては、アクチュエータの操作部を主印刷配線基板に対して伏した状態から主印刷配線基板に対して起き上がった状態へと移行させる操作が要され、斯かる操作のためには、主印刷配線基板上における主印刷配線基板に対して伏した状態をとる操作部のさらに背後側に、操作部に対する操作スペースが必要とされることになる。
【００１１】
このような絶縁ハウジングが配される主印刷配線基板上に要される操作スペースは、主印刷配線基板上における部品装着スペースを減少させることになり、主印刷配線基板についての部品装着のめんからの有効利用率を低減させるという不都合をもたらす。また、その結果、絶縁ハウジングが配される主印刷配線基板の小型化に支障がきたされるという問題が生じる。
【００１２】
斯かる点に鑑み、本願の特許請求の範囲に記載された発明は、例えば、フレキシブル印刷配線基板等とされる配線板状部材の主印刷配線基板への取付けに用いられる、板状部材差込み部が設けられた絶縁ハウジングと、絶縁ハウジング内に配列配置されて設けられる複数のコンタクトと、回動可能に配されて複数のコンタクトの夫々に係合し、回動操作されて、複数のコンタクトの夫々に板状部材差込み部を通じて絶縁ハウジング内に差し込まれた配線板状部材における接続端子部に対する押圧接触状態をとらせる位置と、複数のコンタクトの夫々を上述の押圧接触状態から解放する位置とを選択的にとるアクチュエータと、を備えたコネクタ装置であって、絶縁ハウジングが主印刷配線基板等の基板に配されたもとで、基板上における絶縁ハウジングの板状部材差込み部側とは反対側の周囲にアクチュエータの回動操作のための操作スペースが必要とされないものを提供する。
【課題を解決するための手段】
【００１３】
本願の特許請求の範囲における請求項１から請求項４までのいずれかに記載された発明（以下、本発明という。）に係るコネクタ装置は、板状部材差込み部が設けられた絶縁ハウジングと、絶縁ハウジング内に配列配置され、板状部材差込み部を通じて絶縁ハウジング内に差し込まれた配線板状部材における複数の接続端子部に夫々対応する位置をとるものとされる複数のコンタクトと、絶縁ハウジングに対して回動可能に設けられて第１の静止位置と第２の静止位置とを選択的にとり、複数のコンタクトに係合して、配線板状部材が板状部材差込み部を通じて絶縁ハウジング内に差し込まれたもとで、第１の静止位置から第２の静止位置に移行せしめられるとき、複数のコンタクトの夫々に複数の接続端子部のうちの対応するものに対する押圧接触状態をとらせ、第２の静止位置から第１の静止位置に移行せしめられるとき、複数のコンタクトの夫々を複数の接続端子部のうちの対応するものに対する押圧接触状態から解放するアクチュエータと、を備えて成り、アクチュエータが、回動操作のための操作部を有しており、第２の静止位置をとるとき絶縁ハウジングにおける複数のコンタクトの配列方向の側端部からその外方に露出することになる操作部の側端部分に、アクチュエータを第２の静止位置から第１の静止位置に移行させるための外力を受け止める受力作用部が設けられたことを特徴とするものとされる。
【００１４】
アクチュエータの操作部の側端部分に設けられる受力作用部は、例えば、当該側端部分に形成された、絶縁ハウジングが基板に配されたもとでアクチュエータが第２の静止位置をとるときその基板に向かって絶縁ハウジングの内側へと傾斜する傾斜面部，その基板に対向する切欠き溝部、あるいは、その基板に対向する切欠き段部とされる。
【００１５】
上述のように構成される本発明に係るコネクタ装置は、実際に使用される際には、絶縁ハウジングが主印刷配線基板等とされる基板に配されたものとされる。そして、以下においては、絶縁ハウジングにおける板状部材差込み部が設けられた端縁部を正面側端縁部といい、絶縁ハウジングにおける正面側端縁部に対向する反対側の端縁部を背面側端縁部という。
【００１６】
このような本発明に係るコネクタ装置にあっては、絶縁ハウジングが基板に配されたもとで、アクチュエータが第１の静止位置から第２の静止位置へと移行せしめられるべく回動操作される際には、アクチュエータの操作部が、絶縁ハウジングが配された基板に対して立ち上がった状態から絶縁ハウジングが配された基板に対して絶縁ハウジングの背面側端縁部の背後側に伏した状態へと移行する。また、アクチュエータが第２の静止位置から第１の静止位置へと移行せしめられるべく回動操作される際には、アクチュエータの操作部が、絶縁ハウジングが配された基板に対して絶縁ハウジングの背面側端縁部の背後側に伏した状態から絶縁ハウジングが配された基板に対して立ち上がった状態へと移行する。
【００１７】
従って、基板に配された絶縁ハウジングに板状部材差込み部を通じて配線板状部材が差し込まれたもとで、アクチュエータが、複数のコンタクトの夫々に配線板状部材における複数の接続端子部のうちの対応するものに対する押圧接触状態をとらせる第２の静止位置をとるときには、当該アクチュエータの操作部は、絶縁ハウジングが配された基板に対して絶縁ハウジングの背面側端縁部の背後側に伏した状態をとる。そして、その後、当該アクチュエータに、複数のコンタクトの夫々を配線板状部材における複数の接続端子部のうちの対応するものに対する押圧接触状態から解放する第１の静止位置をとらせるにあたっては、絶縁ハウジングが配された基板に対して絶縁ハウジングの背面側端縁部の背後側に伏した状態をとるアクチュエータの操作部を、その基板から離隔する方向に変位させる操作が要されるが、斯かる操作は、アクチュエータの操作部の側端部分に設けられた受力作用部を利用して行い得るものとされる。
【００１８】
具体的には、絶縁ハウジングが配された基板に対して絶縁ハウジングの背面側端縁部の背後側に伏した状態をとるアクチュエータの操作部を、その基板から離隔する方向に変位させる操作は、基板に配された絶縁ハウジングにおける複数のコンタクトの配列方向の側端部の外方から、アクチュエータの操作部の側端部分に設けられた受力作用部に、例えば、所定のジグを当該受力作用部に係合させて、その受力作用部を絶縁ハウジングが配された基板から遠ざける方向の外力を加えることによって行い得ることになる。
【発明の効果】
【００１９】
本発明に係るコネクタ装置においては、上述のように、基板に配された絶縁ハウジングに板状部材差込み部を通じて配線板状部材が差し込まれたもとで、アクチュエータに複数のコンタクトの夫々を配線板状部材における複数の接続端子部のうちの対応するものに対する押圧接触状態から解放する第１の静止位置をとらせるにあたって要される、絶縁ハウジングが配された基板に対して絶縁ハウジングの背面側端縁部の背後側に伏した状態をとるアクチュエータの操作部をその基板から離隔する方向に変位させる操作が、基板に配された絶縁ハウジングにおける複数のコンタクトの配列方向の側端部の外方から、アクチュエータの操作部の側端部分に設けられた受力作用部にそれを絶縁ハウジングが配された基板から遠ざける方向の外力を加えることによって行い得るものとされる。それにより、絶縁ハウジングが配された基板上に対して絶縁ハウジングの背面側端縁部の背後側に伏した状態をとるアクチュエータの操作部をその基板から離隔する方向に変位させる操作のために、絶縁ハウジングが配された基板上における絶縁ハウジングの背面側端縁部の周囲とされる、絶縁ハウジングが配された基板上における基板に対して伏した状態をとるアクチュエータの操作部のさらに背後側に、アクチュエータの操作部に対する操作スペースが設けられる必要がないことになる。
【００２０】
このように絶縁ハウジングが配された基板上おいてアクチュエータの操作部に対する操作スペースが必要とされない本発明に係るコネクタ装置によれば、絶縁ハウジングが配された基板上における部品装着スペースが減少されず、当該基板についての部品装着のめんからの有効利用率の低減がまねかれないという利点が得られる。また、その結果、絶縁ハウジングが配される基板の小型化にあたって支障がきたされないという利点ももたらされる。
【発明を実施するための最良の形態】
【００２１】
本発明を実施するための最良の形態は、以下に述べられる本発明についての実施例１，実施例２及び実施例３をもって説明される。
【実施例１】
【００２２】
図１及び図２は、本発明に係るコネクタ装置の一例を、それが取り付けられた電子機器の主配線基板の部分と共に示す。
【００２３】
図１及び図２において、本発明に係るコネクタ装置の一例を成すコネクタ装置１０は、合成樹脂等の絶縁材料によって形成され、電子機器の主配線基板１１に配された絶縁ハウジング１２を備えており、絶縁ハウジング１２には、その正面側端縁部に板状部材差込み部１３が設けられている。絶縁ハウジング１２が主配線基板１１に配されることにより、コネクタ装置１０の全体が主配線基板１１に取り付けられたものとされる。そして、板状部材差込み部１３を通じて、例えば、後述されるフレキシブル印刷配線基板の一端部が、配線板状部材を成すものとして、絶縁ハウジング１２の内部に差し込まれる。
【００２４】
絶縁ハウジング１２には、その内部に、各々が弾性導電材料で形成された複数のコンタクト１４が配列配置されて設けられている。また、絶縁ハウジング１２における複数のコンタクト１４の配列方向の一対の側端部１５及び１６には、金属板状部材１７及び１８が夫々配されている。
【００２５】
また、絶縁ハウジング１２における正面側端縁部に対向する背面側端縁部側には、複数のコンタクト１４の配列方向に沿って伸びるアクチュエータ２０が、複数のコンタクト１４により支持されて、絶縁ハウジング１２に対して回動可能に配されている。アクチュエータ２０は、それを回動させる操作のための操作部２１を有している。そして、アクチュエータ２０は、その操作部２１が、図１及び図２に示されるような、主配線基板１１に対して起き上がった状態をとるものとされる位置を、第１の静止位置としてとることができ、また、その操作部２１が、後述される図５及び図６に示されるような、主配線基板１１に対して伏した状態をとるものとされる位置を、第２の静止位置としてとることができて、操作部２１が操作されて回動せしめられることにより、第１の静止位置から第２の静止位置への移行、あるいは、第２の静止位置から第１の静止位置への移行を行うものとされている。
【００２６】
絶縁ハウジング１２内に配列配置されて設けられる複数のコンタクト１４の夫々は、アクチュエータ２０が第１の静止位置をとる状態を示す図３に示されるように、弾性導電材料で形成された、全体として「エ」字状を成す板状部材とされている。斯かる「エ」字状とされたコンタクト１４にあっては、連結部２２によって相互連結された一対のビーム部２３及び２４のうち、ビーム部２３が固定部とされて、ビーム部２４が作動部とされる。固定部とされるビーム部２３の一端部２３ａは、端子部を成すものとされていて、主配線基板１１に設けられた配線部２５に接続される。
【００２７】
絶縁ハウジング１２に対して回動可能に配されたアクチュエータ２０には、図３に示されるように、複数のコンタクト１４に夫々係合する複数のカム部２６が設けられている。複数のカム部２６の夫々は、複数のコンタクト１４のうちの対応するものにおけるビーム部２３の一端部２３ａとビーム部２４の一端部２４ａとに挟まれていて、アクチュエータ２０の回動に伴って回動する。
【００２８】
また、アクチュエータ２０には、図４に示されるように、絶縁ハウジング１２の側端部１５に配された金属板状部材１７に対応する位置に配される楕円軸部２７が設けられており、同様に、絶縁ハウジング１２の側端部１６に配された金属板状部材１８に対応する位置に配される楕円軸部（図示されていない）も設けられている。これらの絶縁ハウジング１２の側端部１５側に設けられた楕円軸部２７及び絶縁ハウジング１２の側端部１６側に設けられた楕円軸部は、図４に示される金属板状部材１７における屈曲部１７ａ及び図示されていない金属板状部材１８における屈曲部による位置規制を夫々受けるものとされており、斯かる位置規制がなされることにより、アクチュエータ２０が絶縁ハウジング１２から抜け出してしまう事態が防止される。
【００２９】
アクチュエータ２０が、図１，図２及び図３に示されるように、第１の静止位置をとるもとにあっては、複数のカム部２６の夫々が、対応するコンタクト１４における固定部を成すビーム部２３の一端部２３ａにのみ当接する。斯かる状態のもとでは、複数のカム部２６の夫々に対応するコンタクト１４は、固定部を成すビーム部２３の他端部２３ｂと作動部を成すビーム部２４の他端部２４ｂとが、絶縁ハウジング１２に設けられた板状部材差込み部１３側において形成する相互間隔を、比較的大なるものに維持するものとされる。
【００３０】
そして、アクチュエータ２０が第１の静止位置をとるもとにおいて、図５及び図６に示される配線板部材としてのフレキシブル印刷配線基板４０の一端部が絶縁ハウジング１２内に板状部材差込み部１３を通じて差し込まれるとき、絶縁ハウジング１２内に配列配置された複数のコンタク１４は、絶縁ハウジング１２内に差し込まれたフレキシブル印刷配線基板４０の一端部に設けられた複数の接続端子部４１に夫々対応する位置をとるものとされている。そして、その後、アクチュエータ２０が、その操作部２１が操作されて回動せしめられ、第１の静止位置から図５及び図６に示される第２の静止位置に移行すると、絶縁ハウジング１２内に配列配置された複数のコンタク１４が、絶縁ハウジング１２内に差し込まれたフレキシブル印刷配線基板４０の一端部に設けられた複数の接続端子部４１に夫々押圧接触するものとされる。
【００３１】
斯かる際においては、先ず、アクチュエータ２０が第１の静止位置をとるもとにおいて絶縁ハウジング１２内に差し込まれたフレキシブル印刷配線基板４０の一端部が、絶縁ハウジング１２内に配列配置された複数のコンタクト１４に対して、複数のコンタクト１４の夫々のビーム部２３とビーム部２４とに挟まれる位置におかれる。続いて、第１の静止位置をとるアクチュエータ２０が、その操作部２１が操作されることにより、第１の静止位置から第２の静止位置に移行すべく回動せしめられる。それにより、アクチュエータ２０の第１の静止位置から第２の静止位置への移行に伴って、図７に示されるように、アクチュエータ２０に設けられた複数のカム部２６の夫々が、対応するコンタクト１４における固定部を成すビーム部２３の一端部２３ａと作動部を成すビーム部２４の一端部２４ａとの両者に係合する。
【００３２】
コンタクト１４におけるビーム部２３の一端部２３ａとビーム部２４の一端部２４ａとの両者に係合するカム部２６は、ビーム部２４を、ビーム部２３の他端部２３ｂとビーム部２４の他端部２４ｂとが絶縁ハウジング１２に設けられた板状部材差込み部１３側において形成する相互間隔を狭めるように変位させ、当該ビーム部２４に、その他端部２４ｂが絶縁ハウジング１２内に差し込まれたフレキシブル印刷配線基板４０の一端部における複数の接続端子部４１のうちの対応するものに押圧接触する状態をとらせる。それにより、絶縁ハウジング１２内に差し込まれたフレキシブル印刷配線基板４０の一端部における複数の接続端子部４１の夫々が、対応するコンタクト１４を通じて、主配線基板１１に設けられた複数の配線部２５のうちの対応するものに電気的に接続されることになる。
【００３３】
図８は、図５, 図６及び図７に示される、配線板部材としてのフレキシブル印刷配線基板４０の一端部が絶縁ハウジング１２内に板状部材差込み部１３を通じて差し込まれて、アクチュエータ２０が第２の静止位置をとるものとされたコネクタ装置１０を、主配線基板１１を取り去って、絶縁ハウジング１２の主配線基板１１に当接する面（底面）側から見たものとして示す。
【００３４】
このようなもとで、上述のように第１の静止位置と第２の静止位置とを選択的にとるものとされるアクチュエータ２０にあっては、図１，図３，図４，図７及び図８に示されるように、その操作部２１の、絶縁ハウジング１２の背面側端縁部に沿って伸びる背後端縁部分に、アクチュエータ２０が第２の静止位置をとるとき主配線基板１１に向かって絶縁ハウジング１２の内側へと傾斜するものとなる傾斜面部４５が形成されている。さらに、図１，図４及び図８に示されるように、アクチュエータ２０の操作部２１の、アクチュエータ２０が第２の静止位置をとるとき絶縁ハウジング１２における複数のコンタクト１４の配列方向の一対の側端部の一方である側端部１５からその外方に露出することになる側端部分に、アクチュエータ２０が第２の静止位置をとるとき主配線基板１１に向かって絶縁ハウジング１２の内側へと傾斜するものとなる傾斜面部４６が形成されており、また、図１及び図８に示されるように、アクチュエータ２０の操作部２１の、アクチュエータ２０が第２の静止位置をとるとき絶縁ハウジング１２における複数のコンタクト１４の配列方向の一対の側端部の他方である側端部１６からその外方に露出することになる側端部分に、アクチュエータ２０が第２の静止位置をとるとき主配線基板１１に向かって絶縁ハウジング１２の内側へと傾斜するものとなる傾斜面部４７が形成されている。
【００３５】
これらのアクチュエータ２０の操作部２１の背後端縁部分に形成された傾斜面部４５，一対の側端部分の一方に形成された傾斜面部４６及び一対の側端部分の他方に形成された傾斜面部４７は、第２の静止位置をとるアクチュエータ２０を第２の静止位置から第１の静止位置に移行させるための外力を受け止めるべく、アクチュエータ２０の操作部２１に設けられた受力作用部を成している。従って、以下に詳述されるように、第２の静止位置をとるアクチュエータ２０を第２の静止位置から第１の静止位置に移行させるべく回動させるにあたっては、アクチュエータ２０の操作部２１に形成された傾斜面部４５，４６及び４７が、アクチュエータ２０を回動させるための外力が加えられる受力作用部として機能する。
【００３６】
絶縁ハウジング１２が主配線基板１１に配されたコネクタ装置１０において、図５，図６，図７及び図８に示されるように、絶縁ハウジング１２に板状部材差込み部１３を通じてフレキシブル印刷配線基板４０の一端部が差し込まれたもとで、アクチュエータ２０が第２の静止位置をとるもとにあっては、アクチュエータ２０の操作部２１は、絶縁ハウジング１２が配された主配線基板１１に対して絶縁ハウジング１２の背面側端縁部の背後側に伏した状態をとる。そして、その後、コネクタ装置１０は、必要に応じて、第２の静止位置をとるアクチュエータ２０を、複数のコンタクト１４の夫々をフレキシブル印刷配線基板４０の一端部における複数の接続端子部４１のうちの対応するものに対する押圧接触状態から解放する第１の静止位置に移行させることになる状態におかれる。
【００３７】
第２の静止位置をとるアクチュエータ２０を第１の静止位置に移行させるにあたっては、絶縁ハウジング１２が配された主配線基板１１に対して絶縁ハウジング１２の背面側端縁部の背後側に伏した状態をとるアクチュエータ２０の操作部２１を、主配線基板１１から離隔する方向に変位させる操作が要されるが、コネクタ装置１０にあっては、斯かる操作を、アクチュエータ２０の操作部２１に設けられた受力作用部を成す傾斜面部４５，４６及び４７を利用して行うことが可能とされる。
【００３８】
即ち、具体的には、例えば、主配線基板１１に配された絶縁ハウジング１２における複数のコンタクト１４の配列方向の側端部１５もしくは１６または側端部１５及び１６の両者の外方から、アクチュエータ２０の操作部２１の側端部分に設けられた受力作用部を成す傾斜面部４６もしくは４７または傾斜面部４６及び４７の両者に、例えば、斯かる傾斜面部に所定のジグを係合させて、当該傾斜面部を絶縁ハウジング１２が配された主配線基板１１から遠ざける方向の外力を加えることにより、絶縁ハウジング１２が配された主配線基板１１に対して絶縁ハウジング１２の背面側端縁部の背後側に伏した状態をとるアクチュエータ２０の操作部２１を、主配線基板１１から離隔する方向に変位させることができる。
【００３９】
このように、コネクタ装置１０にあっては、絶縁ハウジング１２が配された主配線基板１１に対して絶縁ハウジング１２の背面側端縁部の背後側に伏した状態をとるアクチュエータ２０の操作部２１を、主配線基板１１から離隔する方向に変位させる操作を、主配線基板１１に配された絶縁ハウジング１２における複数のコンタクト１４の配列方向の側端部１５もしくは１６または側端部１５及び１６の両者の外方から、アクチュエータ２０の操作部２１の側端部分に設けられた受力作用部を成す傾斜面部４６もしくは４７または傾斜面部４６及び４７の両者に、例えば、斯かる傾斜面部に所定のジグを係合させて、当該傾斜面部を絶縁ハウジング１２が配された主配線基板１１から遠ざける方向の外力を加えることにより行うことができるので、絶縁ハウジング１２が配された主配線基板１１に対して絶縁ハウジング１２の背面側端縁部の背後側に伏した状態をとるアクチュエータ２０の操作部２１を、主配線基板１１から離隔する方向に変位させる操作のために、絶縁ハウジング１２が配された主配線基板１１上におけるその主配線基板１１に対して伏した状態をとるアクチュエータ２０の操作部２１のさらに背後側に、アクチュエータ２０の操作部２１に対する操作スペースが設けられる必要がない。
【００４０】
従って、コネクタ装置１０が用いられるもとでは、絶縁ハウジング１２が配された主配線基板１１上における部品装着スペースが減少されず、当該主配線基板１１についての部品装着のめんからの有効利用率の低減がまねかれない。また、その結果、絶縁ハウジング１２が配される主配線基板１１の小型化にあたって支障がきたされないことにもなる。
【実施例２】
【００４１】
図９は、本発明に係るコネクタ装置の他の例の部分を示す。
【００４２】
図９に示される本発明に係るコネクタ装置の他の例を成すコネクタ装置５０は、多くの部分が上述された実施例１のコネクタ装置１０と同様に構成されており、図９においては、実施例１のコネクタ装置１０の各部に対応する部分が、コネクタ装置１０と共通の符号が付されて示されている。コネクタ装置５０におけるコネクタ装置１０と共通の符号が付された部分についての詳細説明は省略される。
【００４３】
コネクタ装置５０にあっては、絶縁ハウジング１２における複数のコンタクト１４の配列方向の側端部１６に近接した、アクチュエータ２０の操作部２１の側端部分に、実施例１のコネクタ装置１０において形成される傾斜面部４７に代えて、絶縁ハウジング１２が基板に配されたもとでアクチュエータ２０が第２の静止位置をとるとき基板に対向する切欠き溝部４８が形成されており、この切欠き溝部４８が、第２の静止位置をとるアクチュエータ２０を第２の静止位置から第１の静止位置に移行させるための外力を受け止めるべく、アクチュエータ２０の操作部２１に設けられた受力作用部を成すものとされている。
【００４４】
また、コネクタ装置５０にあっては、図示が省略されているが、絶縁ハウジング１２における複数のコンタクト１４の配列方向の側端部１６と対をなす側端部に近接した、アクチュエータ２０の操作部２１の側端部分にも、実施例１のコネクタ装置１０において形成される傾斜面部４６に代えて、切欠き溝部４８と同様な切欠き溝部が形成されており、この切欠き溝部も、第２の静止位置をとるアクチュエータ２０を第２の静止位置から第１の静止位置に移行させるための外力を受け止めるべく、アクチュエータ２０の操作部２１に設けられた受力作用部を成すものとされている。
【００４５】
コネクタ装置５０は、その他の部分は実施例１のコネクタ装置１０と同様に構成されている。そして、コネクタ装置５０は、実施例１のコネクタ装置１０と同様に作動し、斯かるコネクタ装置５０によれば、実施例１のコネクタ装置１０の場合と同様な作用効果が得られる。
【実施例３】
【００４６】
図１０は、本発明に係るコネクタ装置のさらに他の例の部分を示す。
【００４７】
図１０に示される本発明に係るコネクタ装置のさらに他の例を成すコネクタ装置６０も、多くの部分が上述された実施例１のコネクタ装置１０と同様に構成されており、図１０においては、実施例１のコネクタ装置１０の各部に対応する部分が、コネクタ装置１０と共通の符号が付されて示されている。コネクタ装置６０におけるコネクタ装置１０と共通の符号が付された部分についての詳細説明は省略される。
【００４８】
コネクタ装置６０にあっては、絶縁ハウジング１２における複数のコンタクト１４の配列方向の側端部１６に近接した、アクチュエータ２０の操作部２１の側端部分に、実施例１のコネクタ装置１０において形成される傾斜面部４７に代えて、絶縁ハウジング１２が基板に配されたもとでアクチュエータ２０が第２の静止位置をとるとき基板に対向する切欠き段部４９が形成されており、この切欠き段部４９が、第２の静止位置をとるアクチュエータ２０を第２の静止位置から第１の静止位置に移行させるための外力を受け止めるべく、アクチュエータ２０の操作部２１に設けられた、実施例１のコネクタ装置１０における傾斜面部４６が成す受力作用部に相当する受力作用部を成すものとされている。
【００４９】
また、コネクタ装置６０にあっては、図示が省略されているが、絶縁ハウジング１２における複数のコンタクト１４の配列方向の側端部１６と対をなす側端部に近接した、アクチュエータ２０の操作部２１の側端部分にも、実施例１のコネクタ装置１０において形成される傾斜面部４６に代えて、切欠き段部４９と同様な切欠き段部が形成されており、この切欠き段部も、第２の静止位置をとるアクチュエータ２０を第２の静止位置から第１の静止位置に移行させるための外力を受け止めるべく、アクチュエータ２０の操作部２１に設けられた、実施例１のコネクタ装置１０における傾斜面部４７が成す受力作用部に相当する受力作用部を成すものとされている。
【００５０】
コネクタ装置６０は、その他の部分は実施例１のコネクタ装置１０と同様に構成されている。そして、コネクタ装置６０は、実施例１のコネクタ装置１０と同様に作動し、斯かるコネクタ装置６０によれば、実施例１のコネクタ装置１０の場合と同様な作用効果が得られる。
【産業上の利用可能性】
【００５１】
以上のような本発明に係るコネクタ装置は、フレキシブル印刷配線基板等とされる配線板状部材の主配線基板への取付けに用いられる、板状部材差込み部が設けられた絶縁ハウジングと、絶縁ハウジング内に配列配置されて設けられる複数のコンタクトと、回動可能に配されて複数のコンタクトの夫々に係合するアクチュエータとを備えたコネクタ装置であって、絶縁ハウジングが主配線基板等の基板に配されたもとで、基板上における絶縁ハウジングの板状部材差込み部側とは反対側の周囲にアクチュエータの回動操作のための操作スペースが必要とされないものとして、様々な電子機器等に広く適用され得るものである。
【図面の簡単な説明】
【００５２】
【図１】本発明に係るコネクタ装置の一例を、それが取り付けられた電子機器の主配線基板の部分と共に示す斜視図である。
【図２】本発明に係るコネクタ装置の一例を、それが取り付けられた電子機器の主配線基板の部分と共に示す斜視図である。
【図３】図１及び図２に示される例の構成及び動作の説明に供される断面図である。
【図４】図１及び図２に示される例の構成及び動作の説明に供される断面図である。
【図５】図１及び図２に示される例を、それが取り付けられた電子機器の主配線基板の部分及びそれに差し込まれたフレキシブル印刷配線基板の部分と共に示す斜視図である。
【図６】図１及び図２に示される例を、それが取り付けられた電子機器の主配線基板の部分及びそれに差し込まれたフレキシブル印刷配線基板の部分と共に示す斜視図である。
【図７】図１及び図２に示される例の構成及び動作の説明に供される断面図である。
【図８】図１及び図２に示される例を、それに差し込まれたフレキシブル印刷配線基板の部分と共に示す斜視図である。
【図９】本発明に係るコネクタ装置の他の例の部分を示す斜視図である。
【図１０】本発明に係るコネクタ装置のさらに他の例の部分を示す斜視図である。
【符号の説明】
【００５３】
１０，５０，６０・・・コネクタ装置，  １１・・・主配線基板，  １２・・・絶縁ハウジング，  １３・・・板状部材差込み部，  １４・・・コンタクト，  １５，１６・・・側端部，  １７，１８・・・金属板状部材，  ２０・・・アクチュエータ，  ２１・・・操作部，  ２２・・・連結部，  ２３，２４・・・ビーム部，  ２６・・・カム部，  ２７・・・楕円軸部，  ４０・・・フレキシブル印刷配線基板，  ４１・・・接続端子部，  ４５，４６，４７・・・傾斜面部，  ４８・・・切欠き溝部，  ４９・・・切欠き段部
【図１】
2010021084.tif 000003
【図２】
2010021084.tif 000004
【図３】
2010021084.tif 000005
【図４】
2010021084.tif 000006
【図５】
2010021084.tif 000007
【図６】
2010021084.tif 000008
【図７】
2010021084.tif 000009
【図８】
2010021084.tif 000010
【図９】
2010021084.tif 000011
【図１０】
2010021084.tif 000012